(57)【要約】【課題】  本発明は、前述の問題に鑑み神社、仏閣へ出向くことなく賽銭の奉納、有形無形の専売物品の賽銭の奉納、御守、絵馬、お札、書籍等の販売、ご祈祷、志経、申経、永代経などの有形無形の物品、サービスにおいては、音声、もしくは実況中継もしくはビデオ映像を送信するサービスを提供する。【解決手段】  前記の課題を解決するために、神社、仏閣業務運営サーバーシステムはインターネット回線を介して神社、仏閣の賽銭の奉納、御守、絵馬、お札、書籍等の有形無形の専売物品の販売、また祈祷、志経、申経、永代経の音声、もしくは中継もしくはビデオ映像の画像送信、さらに各種情報等のサービスを神社、仏閣の端末と依頼者端末を神社、仏閣業務運営のコンピュータ装置により電子商取引を含む業務の委託、依頼を効率的に統括運営するコンピュータ装置を提供する。【選択図】図１
2008065798.tif 000002
【特許請求の範囲】
【請求項１】
依頼者がインターネットを介して神社、仏閣への賽銭の奉納、御守、絵馬、お札、書籍、あるいは志経、申経、永代経などの有形無形の物品、サービスその他の神社、仏閣等の有形無形の専売物品の販売する少なくともいずれかの業務のＷｅｂサイトを運用する、サービス、情報等を、インターネット回線を介して受ける神社、仏閣業務運営サーバーシステムであることを特徴とする。
【請求項２】
前記の賽銭の奉納では、画面上に仮想賽銭箱を設け電子商取引を含む業務を特徴とする請求項１記載の神社、仏閣業務運営サーバーシステムであることを特徴とする。
【請求項３】
前記の賽銭の奉納は、志経、申経、永代経等については、音声、もしくは中継もしくはビデオ映像を送信することで電子商取引を含む業務を特徴とする請求項１、請求項２記載の神社、仏閣業務運営サーバーシステムであることを特徴とする。
【請求項４】
前記の賽銭の奉納、御守、絵馬、お札、書籍、あるいは志経、申経、永代経などの有形無形の物品、サービスのいずれかを電子商取引を含む業務を特徴とする請求項１、請求項２又は３記載のインターネットを介する神社、仏閣業務運営サーバーシステム。
【発明の詳細な説明】
【技術分野】
【０００１】  本発明は、神社、仏閣業務運営サーバーシステム仮想神社、仏閣システムの技術分野に属する。
【背景技術】
【０００２】  本発明は、依頼者が神社、仏閣の専売とする賽銭の奉納、御守、絵馬、お札、書籍等、または志経、申経、永代経などの有形無形の物品、サービスのサービスを神社、仏閣へ出向かなくては受けられない。特に神社、仏閣には出向気持ちがあっても様々な弊害により出向くことのできない人、例えば外国へ出張中、旅行、または体調不良時や身体障害等の人が非常に多い状況となっている。
【発明の開示】
【発明が解決しようとする課題】
【０００３】  本発明は、前述の問題に鑑み神社、仏閣へ出向くことなく賽銭の奉納、有形無形の専売物品の賽銭の奉納、御守、絵馬、お札、書籍等の販売、ご祈祷、志経、申経、永代経等においては、音声、もしくは実況中継もしくはビデオ映像を画像として送信する臨場感サービスを提供することである。
【課題を解決するための手段】
【０００４】  本発明によれば、上述の課題は前記特許請求の範囲に記載した手段により達成される発明は、神社、仏閣業務運営サーバーシステムはインターネット回線を介して神社、仏閣の賽銭の奉納、御守、絵馬、お札、書籍等の有形無形の専売物品の販売、さらに祈祷、志経、申経、永代経とうにおいては、音声、もしくは中継もしくはビデオ映像の画像の送信サービスを神社、仏閣の端末と依頼者端末を神社、仏閣業務運営のコンピュータ装置により電子商取引を含む業務の委託、依頼を統括運営する神社、仏閣業務運営サーバーシステム。
【発明の効果】
【０００５】  第１の効果は、依頼者の希望する神社、仏閣に出向くことなく、距離、特に国外においても全く制約されることなく依頼者端末から送信されるので、賽銭の奉納、御守、絵馬、お札、書籍、また志経、申経、永代経、有形無形の専売物品等の購入時間、交通費、様々な労力等が一切不要となり依頼者は多くの恩恵を得られることである。【０００６】  第２の効果は、神社、仏閣には出向かれない人が非常に多い、例えば外国へ出張中、旅行、または体調不良時や身体障害であっても、自宅、職場のパソコンを使用して本人、または家族等により容易な操作で依頼者は多くの恩恵を得られることである。【０００７】  第３の効果は、賽銭の奉納では、画面上に仮想賽銭箱を設けることにより依頼者は臨場感得られることである。【０００８】  第４の効果は、祈祷、志経、申経、永代経にあっては、開始時刻、終了時刻等を事前予可能で、依頼後には依頼者に確認のＥ−メールが発信され、メール内のパスワード等の入力により音声、さらには画像として実況中継、もしくはビデオ映像を送信することにより依頼者は臨場感得られることである。【０００９】  第５の効果は、さらに祈祷、経は、インターネット接続可能な場所であれば、依頼者の希望の場所において恩恵を受けられることが可能である。【００１０】  第６の効果は、神社、仏閣と依頼者間において電子商取引により代金決裁、および有形無形の専売物品発送を有形無形の専売物品発送センターが代行することも可能なので、各神社、仏閣は有形無形の専売物品の販売を効率的に行えることである。【００１１】  第７の効果は、神社、仏閣ネットモールの電子依頼サイトに加盟の神社、仏閣にとっては、より広範囲の不特定多数の依頼者に対し広報を開拓できることで奉納、売上向上が期待される。
【発明を実施するための最良の形態】
【００１２】  本発明の実施の形態を以下図に基づいて説明する。【００１３】  ここで、４０はインターネット２０を介して各種情報を提供あるいは有形無形の専売物品・サービスを販売する少なくともいずれか一方の業務でＷｅｂサイトを運営する業務運営事業者のコンピュータ装置、３０はその業務のＷｅｂサイトの利用者の依頼者端末、１０は前記業務運営事業者の電子商取引を少なくとも含む業務の委託依頼を運営しその業務を統括運営する業務運営事業者のコンピュータ装置、５０は有形無形の専売物品供給提携先の神社、仏閣の流通事業者のコンピュータ装置である。【００１４】  以上の構成からなる業務運営サーバーシステム１００は、業務運営事業者のコンピュータ装置４０のＷｅｂページ画面内に業務運営事業者のコンピュータ装置１０のＷｅｂページＵＲＬアドレスを埋め込むＨＴＭＬ文章によるリンク先を設定した文字又はパターンのリンク先ボタンを設けＷｅｂページを業務運営事業者のコンピュータ装置１０で生成して、そのＷｅｂページ画面を業務運営事業者のコンピュータ装置４０へ送信し、利用者の依頼者端末３０において業務運営事業者のコンピュータ装置４０のＷｅｂページの前記リンク先ボタンをクリックすれば、業務運営事業者のコンピュータ装置１０に接続され、業務運営事業者に代り、提携神社、仏閣又は流通事業者との提携業務を含め、運営業務を統括運営するシステムである。【００１５】  前記アプリケーションサーバ１２は、業務運営事業者予約購入者登録・認証手段１２ａ、委託業務データ入力画面送信手段１２ｂ、委託業務データ登録手段１２ｃ、仮想神社、仏閣Ｗｅｂ画面生成登録手段１２ｄ、リンク先ボタン付利用者用ホームページ送信手段１２ｅ、利用者注文受付Ｗｅｂ画面送信手段１２ｆ、電子商取引・情報提供管理手段１２ｇ、手数料管理手段１２ｈを備える。【００１６】  ここで、業務運営事業者予約購入者登録・認証手段１２ａは、業務運営事業者のコンピュータ装置４０からの業務委託依頼の信号を受信し、業務運営事業者予約購入者テーブル１４ｇを検索して未登録であれば、予約購入者登録用入力画面を送信し、所定の入力データを受信してその予約購入者テーブル１４ｇに登録し、もし登録してあれば、その予約購入者テーブル１４ｇに予め登録してあるＩＤコード、パスワードによりその予約購入者の認証をする。【００１７】  また、委託業務データ入力画面送信手段１２ｂは、手段１２ａにより登録又は認証が済めば、自動的に委託したい電子商取引対象有形無形の専売物品・サービス及びその供給提携先企業又は流通事業者と、さらに委託したい各種情報提供があればその情報データと情報提供先とを入力する委託業務データ入力画面を業務運営事業者予約購入者のコンピュータ装置４０へ送信する。【００１８】  また、委託業務データ登録手段１２ｃは、委託業務データ入力画面へ業務運営事業者予約購入者が入力したデータを受信し、委託先毎有形無形の専売物品テーブル１４ａ、委託先毎情報テーブル１４ｂへそれぞれ登録する。【００１９】  また、仮想神社、仏閣Ｗｅｂ画面生成登録手段１２ｄは、手段１２ｃによるデータ登録が終了すると、自動的に委託された販売有形無形の専売物品・サービス及び提供する情報とそれ��の配置構成からなる仮想神社、仏閣パターンの利用者注文受付Ｗｅｂ画面３２を生成し仮想神社、仏閣データテーブル１４ｃへ登録する。【００２０】  また、リンク先ボタン付利用者用ホームページ送信手段１２ｅは、Ｗｅｂサーバ１１へ接続する前記リンク先ボタン３１ａを有するホームページ３１を生成し、業務運営事業者予約購入者のコンピュータ装置４０へ送信する。【００２１】  また、利用者注文受付Ｗｅｂ画面送信手段１２ｆは、利用者の依頼者端末３０で業務運営事業者のコンピュータ装置４０をアクセスしたとき、手段１２ｅにより予め送信したホームページ３１が端末３０に表示され、利用者がそこでリンク先ボタン３１ａをクリックすると、その信号に応答して前記仮想神社、仏閣パターンの利用者注文受付Ｗｅｂ画面３２を端末３０へ送信する。【００２２】  また、電子商取引・情報提供管理手段１２ｇは、利用者の依頼者端末３０からの商取引要求に応答して最初は利用者予約購入者テーブル１４ｉに登録し、２回目以後はテーブル１４ｉで認証し、次に有形無形の専売物品・サービスの受注受付・納品案内・決済業務及び情報提供先の選択・提供案内・決済業務を行い、それぞれ電子商取引先管理データテーブル１４ｄ、情報提供先管理テーブル１４ｅに登録する。【００２３】  また、手数料管理手段１２ｈは、前記テーブル１４ｄ，１４ｅに基づいて委託元毎の課金テーブル１４ｆに登録し、さらに提携先企業・流通事業者予約購入者テーブル１４ｈの各予約購入者毎に支払うべき料金を課金テーブル１４ｆに記載する手数料管理を管理端末１５で行い、その結果を業務運営事業者予約購入者のコンピュータ装置４０へメール送信を行う。【００２４】  次に、インターネットを介する業務運営サーバーシステム１００の動作の流れを示す一実施例を図２、図３に基づいて説明する。【００２５】  登録済であれば、テーブル１４ｇに登録してあるＩＤコード、パスワードを調べて一致すれば予約購入者として認証する（手段１２ａ）（Ｓ２２）。【００２６】  手段１２ａにより登録又は認証が済めば、自動的に委託したい電子商取引対象有形無形の専売物品・サービス及びその供給提携先神社、もしくは仏閣のデータと提供先とを入力する委託業務データ入力画面をコンピュータ装置４０へ送信する（手段１２ｂ）（Ｓ２３）。【００２７】  アプリケーションサーバ１２は、その入力画面に入力した委託業務データを委託先毎有形無形の専売物品テーブル１４ａ、委託先毎情報テーブル１４ｂへ登録する（手段１２ｃ）（Ｓ２４）。【００２８】  手段１２ｃによるデータ登録が終了すると、自動的に委託された販売有形無形の専売物品・サービス及び提供する情報とそれらの配置構成からなる仮想神社、仏閣パターンの利用者注文受付Ｗｅｂ画面３２を生成し、仮想神社、仏閣データテーブル１４ｃへ登録する。【００２９】  アプリケーションサーバ１２は、Ｗｅｂサーバ１１へ接続するリンク先ボタンを有するホームページ３１を生成し、業務運営事業者予約購入者のコンピュータ装置４０のデータベース４２へダウンロードする。【００３０】  利用者の依頼者端末３０で業務運営事業者のコンピュータ装置４０をアクセスしたとき、手段１２ｅにより予め送信したホームページ３１が���末３０に表示され、利用者がそこでリンク先ボタン３１ａをクリックすると、アプリケーションサーバ１２は、その信号に応答して仮想神社、仏閣パターンの利用者注文受付Ｗｅｂ画面３２を端末３０へ送信する。【００３１】  アプリケーションサーバ１２は、利用者の依頼者端末３０からの商取引要求に応答して、最初は利用者予約購入者テーブル１４ｉに登録し、２回目以後はテーブル１４ｉにより認証し、次に、有形無形の専売物品・サービスの受注受付・納品案内・決済業務及び情報提供先の選択・提供案内・決済業務を行い電子商取引先管理テーブル１４ｄ、情報提供先管理テーブル１４ｅに登録する。【００３２】  テーブル１４ｄ，１４ｅに基づき、委託元毎の課金テーブル１４ｆに登録し、さらに提携先企業・流通事業者予約購入者テーブル１４ｈの各予約購入者毎に支払うべき料金を課金テーブル１４ｆに記載する手数料管理を管理端末１５で入力処理し、結果を業務運営事業者予約購入者のコンピュータ装置４０へメール送信する。【００３３】  なお、提携先企業又は流通事業者である卸業者のコンピュータ装置５０は業務運営事業者のコンピュータ装置１０からの発注出荷指示データを受信し、有形無形の専売物品製造メーカ６０にその指示を伝え、物流センター７０を介して、利用者へ有形無形の専売物品出荷を行わせる。出荷指示を直接その物流センター７０へ伝える流れの場合もある。いずれにしても、その物流にともなう返品情報、出荷済情報をその卸業者などのコンピュータ装置５０を介して、業務運営事業者のコンピュータ装置１０が、入出荷情報、在庫情報を統括運営するシステムである。【００３４】  次に、図４に利用者の依頼者端末３０で業務運営事業者のコンピュータ装置４０をアクセスすると、予め業務運営事業者のコンピュータ装置１０から装置４０のデータベース４２に記録されていたホームページ画面データ３１がＷｅｂサーバ４１を介して依頼者端末３０の表示画面に表示された状態を示す。この画面の中には、業務運営事業者のコンピュータ装置１０へのリンク先ボタン３１ａが付されている。【００３４】  図５は、図４において利用者がホームページ３１のリンク先ボタン３１ａをクリックしたときの状態を説明する図である。すなわち、リンク先ボタン３１ａをクリックすると、利用者の依頼者端末３０は業務運営事業者のコンピュータ装置１０へリンクし、その業務に対応する仮想神社、仏閣パターンがデータベース１４を検索して選出され利用者注文受付Ｗｅｂ画面３２として依頼者端末３０に表示された状態を示す図である。【００３４】  このＷｅｂ画面３２を介して有形無形の専売物品検索・注文を行い、そのデータは業務運営事業者のコンピュータ装置１０へ送信され、またその装置１０より納期・出荷メールを受信する。装置１０はインターネット２０を介して前述したように提携先企業又は流通事業者である卸業者のコンピュータ装置５０を介して物流センター７０を介して有形無形の専売物品が利用者へ出荷される。なお、この実施の例では装置１０と提携先企業又は流通事業者である卸業者のコンピュータ装置５０とをインターネット２０を介した形態で説明したが、専用通信回線を介して行ってもよい。
【実施例】
【００３５】  図２に、本発明実施例１の業務フローを示す。実施例１は、実神社、仏閣で取り扱う物品、およびサービスを仮想神社、仏閣に融合させる実施態様であり、その物品、サービスには、賽銭の奉納、奉納、御守、絵馬、お札、書籍、あるいは志経、申経、永代経など有形無形の物品、サービスが含まれる。図２において、まず、神社、仏閣は神社、仏閣業務運営サーバーシステムの端末を利用して自由にシステムにアクセスし、自由にシステムに対して自己のＷＥＢページに載せる神社、仏閣の物品情報を登録する。次に、有形無形の物品を購入しようとする顧客は、インターネットを利用して、神社、仏閣のＷＥＢページ又は自由に共通のＷＥＢページにアクセスする。顧客が神社、仏閣のＷＥＢページを開こうとした場合は、神社、仏閣の独自情報と自由に共通情報とから、動的に神社、仏閣のＷＥＢページを作成し表示する。【００３６】  図３に、自由にシステムに作成されるファイルについて、その情報内容を掲げる。図３において、神社、仏閣独自情報ファイルは、神社、仏閣から送信される独自情報に基づいて作成された情報ファイルは、システム運営企業によって登録される共通情報に基づいて作成され、自由に神社、仏閣から送信される独自情報の総和として自由に生成されるものである。例えば、顧客が神社、仏閣の仮想神社、仏閣で、神社、仏閣独自情報ファイルから抽出された表示情報を参照し、神社、仏閣の実神社、仏閣で取り扱う物品を購入した場合は、その結果が神社、仏閣に反映される。
【産業上の利用可能性】
【００３７】  仏閣業務運営サーバーシステムは、依頼者の希望する神社、仏閣に出向くことなく、距離、特に国外においても全く制約されることなく依頼者の端末から送信されるので、賽銭の奉納、御守、絵馬、お札、書籍、また志経、申経、永代経、有形無形の専売物品等の購入時間、交通費、様々な労力等が一切不要となり依頼者は多くの恩恵を得られることである。さらに祈祷、経は、インターネット接続可能な場所であれば、依頼者の希望の場所において恩恵を受けられることが可能である。神社、仏閣と依頼者間において電子商取引により代金決裁、および有形無形の専売物品発送を有形無形の専売物品発送センターが代行することも可能なので、各神社、仏閣は有形無形の専売物品の販売を効率的に向上できることである。
【図面の簡単な説明】
【００３８】
【図１】本発明のインターネットを介する業務運営サーバーシステムの構成を示す図である。
【符号の説明】
１．神社
２．仏閣
３．エーブシステム環境、共通サービスの提供
４．システム運営費の出資と独自情報の提供
５．神社、仏閣の共通ホームページ
６．顧客任意域
７．共通情報データ
８．顧客データ
９．神社のホームページ
１０．仏閣のホームページ
１１．共通情報の提供とシステム運用
１２．システム運用委託費
１３．神社、仏閣業務運営サーバーシステム
１４．神社、仏閣の統合、または密接な連帯顧客サービス
１５．神社、仏閣の情報サービスデータを連携された商品購入
１６．顧客ウエーブページ利用者
【図１】
2008065798.tif 000003